(57)【要約】  【課題】外観を保ちつつ、オプション部材に広い汎用性を付与することのできるオプション部材取付構造及び取付具を提供する。  【解決手段】オプション部材４と取付具５が、水平方向にスライド可能に係合する第１係合部Ａと、第１係合部Ａが許容する前後方向の揺動範囲で係合可能な第２係合部Ｂとを構成し、前記第１係合部Ａを係合させることにより上下方向の位置決めを行うとともに、第２係合部Ｂを係合させて水平方向の位置決めを行うことを特徴とする。  【選択図】図８
2005143751.tif 000002
【特許請求の範囲】
【請求項１】
背面に家具本体に取り付けるための取付部を有する取付具を用いて家具本体にオプション部材を取り付けるオプション部材取付構造であって、
前記オプション部材と取付具が、水平方向にスライド可能に係合する第１係合部と、
第１係合部が許容する前後方向の揺動範囲で係合可能な第２係合部とを構成し、
前記第１係合部を係合させることにより上下方向の位置決めを行うとともに、オプション部材が重力によって前記第１係合部を軸に揺動することにより、前記第２係合部を係合させて水平方向の位置決めを行うことを特徴とするオプション部材取付構造。
【請求項２】
第１係合部がオプション部材の背面上端に設けられた下向きの突条と、取付具に設けられた水平方向及び上方向に突出した側面視Ｌ字状の突条である第１係合子とにより構成されるとともに、第２係合部がオプション部材の背面に設けられた凹陥と、取付具に設けられた突条である第２係合子とにより構成されるものである請求項１に記載のオプション部材取付構造。
【請求項３】
第２係合部において、前記第２係合子及び前記凹陥の側端面が必要に応じて当接することにより、水平方向の位置決めを行うものである請求項２に記載のオプション部材取付構造。
【請求項４】
オプション部材が収納部材である請求項１、２又は３に記載のオプション部材取付構造。
【請求項５】
オプション部材が樹脂からなるものである請求項１、２、３又は４に記載のオプション部材取付構造。
【請求項６】
家具本体にオプション部材を取り付ける取付具であって、
背面上端部において、家具本体に係合する取付部と、
正面において水平方向及び上方向に突出した側面視Ｌ字状の突条である第１係合子と、
前記第１係合子よりも下部に位置する突条である第２係合子とを有し、
第１係合子をオプション部材に係合させることによりオプション部材を上下方向に位置決めするとともに、オプション部材の重みによりオプション部材が第１係合子を軸に揺動して、前記第２係合子がオプション部材に係合することにより、オプション部材を水平方向に位置決めすることを特徴とする取付具。
【請求項７】
第２係合子がオプション部材と凹凸係合する際に、前記第２係合子の側端面が必要に応じてオプション部材と当接することによりオプション部材を水平方向に位置決めするものである請求項６に記載の取付具。
【請求項８】
背面に家具本体を押圧する平板状の押圧部を有する請求項６又は７に記載の取付具。
【請求項９】
第１係合子の上部に、突条である補助係合子を有し、第１係合子とともにオプション部材を上下より挟み込むように係合するものである請求項６、７又は８に記載の取付具。
【請求項１０】
側断面が全ての箇所において同一形状を有する請求項６、７、８又は９に記載の取付具。
【請求項１１】
押し出し成形により作られたものである請求項１０に記載の取付具。
【請求項１２】
アルミからなるものである請求項１１に記載の取付具。
【発明の詳細な説明】
【技術分野】
【０００１】
本発明は、壁面を有する家具にオプション部材を取り付けるためのオプション部材取付構造及び取付具に関するものである。
【背景技術】
【０００２】
従来、可動間仕切り壁やローパーティションといった家具の壁面に、スリットを有する所謂ハンギングパネルを設置するとともに、前記スリットにオプション部材の一部を係合させることにより、オプション部材をハンギングパネルに任意に取り付けるという態様が提案されている（例えば、特許文献１参照）。このようなオプション部材の取付構造は、スリットの箇所にオプション部材に設けた突条などの挿入部を係合させるのみで、ねじ等も使わないことから、取り付けた状態においてねじや開口が露出せず、外観上にも優れたものとなっている。
【０００３】
一方、家具の壁面に取付具を用いることにより他の部材を取り付けるようにした取付具もまた提案されている（例えば、特許文献２参照）。このものは、家具の壁面に存在する開口部に取付具を係合させて装着するとともに装着した取付具に他の部材を取り付けることにより、他の部材を壁面に好適に取り付けることができるものである。
【特許文献１】特開２００２−１１９３３６号公報
【特許文献２】特開２００１−３２３５６６号公報
【発明の開示】
【発明が解決しようとする課題】
【０００４】
しかしながら、特許文献１に記載されるようなオプション部材は、あくまで専用の加工が施された壁面にのみ取付可能なものであるため、汎用性の面で乏しく大量生産し難いという問題がある。一般にこのようなオプション部材は、その素材を樹脂とすれば軽量化と低コストを実現できるので望ましいが、樹脂製品は生産量にかかわらず金型制作に一定の費用がかかるため、一定量以上生産しなければかえってコストが高いものとなってしまう。つまり、取付箇所が限られているオプション部材を樹脂により生産するためには、金型を制作する上で採算上のリスクが大きいという問題が不可避となっている。
【０００５】
一方、特許文献２に記載の取付具においては、他の部材を取り付けるための取付部１３はハンガー等を掛けるためのものであって、特許文献１のようなオプション部材を取り付けることは想定されていない。もし特許文献１に記載の取付具の構造を利用してそのようなものを取り付けるとすれば、オプション部材をただ掛けるのみの不安定な状態となるため、使用には耐えないものとなるか、或いは確実に取り付けるために、開口や切り込み等を設けるといった目立った加工を施さねばならず、オプション部材の外観が損なわれてしまう。
【０００６】
そこで本発明は、オプション部材の外観を保ちつつ、様々な箇所に好適に取り付け可能とすることでオプション部材に広い汎用性を付与することのできるオプション部材取付構造及び取付具を提供する。
【課題を解決するための手段】
【０００７】
本発明は、このような目的を達成するために、次のような手段を講じたものである。すなわち、本発明に係るオプション部材取付構造は、背面に家具本体に取り付けるための取付部を有する取付具を用いて家具本体にオプション部材を取り付けるオプション部材取付構造であって、前記オプション部材と取付具が、水平方向にスライド可能に係合する第１係合部と第１係合部が許容する前後方向の揺動範囲で係合可能な第２係合部とを構成し、前記第１の係合部を係合させることにより上下方向の位置決めを行うとともに、オプション部材が重力によって前記第１係合部を軸に揺動することにより、前記第２の係合部を係合させることにより水平方向の位置決めを行うことを特徴とする。
【０００８】
このようなものであれば、第２係合部を僅かな動作により係合可能なものとしているとともに、オプション部材の重力による揺動によって第２係合部が係合するため、第２係合部を設けるためのオプション部材に対する加工を僅かなものとして外観を保つことができる。また、取付具の取付部の形状を適宜変更することにより、様々な家具にオプション部材を取り付けることができるので、オプション部材に広い汎用性を付与することができる。そして、オプション部材の汎用性が高くなることで、ひいては大量生産によるスケールメリットを生かした低コスト生産を実現することも可能となる。
【０００９】
また、本発明に係るオプション部材取付構造は、第１係合部がオプション部材の背面上端に設けられた下向きの突条と、取付具に設けられた水平方向及び上方向に突出した側面視Ｌ字状の突条である第１係合子とにより構成されるとともに、第２係合部がオプション部材の背面に設けられた凹陥と、取付具に設けられた突条である第２係合子とにより構成されるものであれば、オプション部材は、前記下向きの突条を利用して、別の壁面に掛ける場合でも、第２係合部は凹陥であるので壁面に干渉することはない。つまり、別の限られた箇所に掛けるためのオプション部材の突条を利用して、別途凹陥を設けるのみで取付具を取り付けて他の箇所にも取り付けることができる。そして、水平方向の位置決めをより確実にするためには、第２係合部において、前記第２係合子及び前記凹陥の側端面が必要に応じて当接することにより、水平方向の位置決めを行うものであれば、単純な形状であっても確実に水平方向の位置決めを行うものとなるので好ましい。
【００１０】
本発明に係るオプション部材取付構造を構成するオプション部材が、トレーやポケット等の収納部材であれば、家具の壁面に取り付けて家具周辺の空間を好適に利用することができるとともに、重力を利用した第２係合部の係合をより確実なものとすることができる。そして、オプション部材が樹脂からなるものとすれば、オプション部材を軽量化することができるとともに、原価を抑えて低コストで生産することが可能である。
【００１１】
また、本発明に係る取付具は、家具本体にオプション部材を取り付ける取付具であって、背面上端部において、家具本体に係合する取付部と、正面において水平方向及び上方向に突出した側面視Ｌ字状の突条である第１係合子と、前記第１係合子よりも下部に位置する突条である第２係合子とを有し、第１係合子をオプション部材に係合させることによりオプション部材を上下方向に位置決めするとともに、オプション部材の重みによりオプション部材が第１係合子を軸に揺動することにより前記第２係合子がオプション部材に設けられた凹陥と凹凸係合することにより、オプション部材を水平方向に位置決めすることを特徴とする。
【００１２】
このようなものであれば、取付部の形状を適宜変更することにより様々な家具の壁面等に取り付けることができるとともに、第１係合子と第２係合子によりオプション部材を移動不能に固定することができるので、結果として様々な家具にオプション部材を取り付けることができるものとなる。つまり、取付具に取り付けるオプション部材に広い汎用性を付与することができる。また、第２係合子は、重力によって第１係合子が揺動するのみで係合することができるので、オプション部材側に開口や切り込みのような顕著な加工を要さずとも容易に設けることが可能となる。その結果としてオプション部材の外観を損なわずに家具に取り付けることができる。
【００１３】
また、本発明に係る取付具は、第２係合子がオプション部材と凹凸係合する際に、前記第２係合子の側端面が必要に応じてオプション部材と当接することによりオプション部材を水平方向に位置決めするものであるものであれば、第２係合子が単純な形状を有していても確実に位置決めができるものとなるので好ましい。
【００１４】
さらに取付具の背面に、家具本体を押圧する平板状の押圧部を有するものであれば、家具に取り付けられた取付具がオプション部材を支持する際、オプション部材の重み等により家具の壁面に当接しても、局所的な押圧により家具本体の壁面を損傷する事を防ぐことができる。
【００１５】
取付具が第１係合子より上部に位置する突条である補助係合子を有するものであり、係合時にオプション部材の突条を前記第１係合子とともに上下から挟み込むものであれば、第１係合部の係合がより確実なものとなるとともに、前記突条に第１係合子を係わり合わせてオプション部材に取付具を取り付けた状態においても補助係合子がオプション部材に上から当接して取付部が落下することなく、オプション部材に取付具を取り付けてから家具本体に取り付けるという作業を好適に行うことができる。
【００１６】
取付具の形状として、側断面が全ての箇所において同一形状を有するものであれば、オプション部材に対し横方向からスライドさせて容易に取付可能なものとすることができる。また、板材の折り曲げによっても作成可能であるとともに、特に押し出し成形によって作成すれば、容易且つ低コストに作成することができる。この場合、取付具の材質としては、軽量で強度を有し且つ加工の便がよいアルミであれば好ましい。
【発明の効果】
【００１７】
本発明によれば、オプション部材を様々な箇所に好適に取り付け可能にすることにより、オプション部材に広い汎用性を付与することができるとともに、オプション部材の外観を好適に保つことができるオプション部材取付構造及び取付具を提供することができる。
【発明を実施するための最良の形態】
【００１８】
以下、本発明の一実施の形態について図面を参照して説明する。
【００１９】
図１は、壁面を有する家具本体１において、ボックス２、トレー３及びポケット４といったオプション部材を家具本体１に設置或いは載置した態様を示している。
【００２０】
この図１において、ボックス２は机上に載置して使用する態様、トレー３は家具本体１に設けられたハンギングパネルＨＰに取り付けた態様を示している。そして、ポケット４は本実施形態に係る取付具５を利用して、家具本体１の上端部に取り付けた状態を示している。
【００２１】
図２〜図４は本実施形態に係るオプション部材であるボックス２、トレー３及びポケット４をそれぞれ示している。本実施形態においてこれらオプション部材２、３、４は透明の樹脂による一体成形品であり、例えば、表面にはシボ加工等が施されているものである。
【００２２】
図２に示したボックス２は、雑誌やファイル等を、起立させた状態で保管するためのものであり、保管したものを部分的に露出させて出し入れ等が頻繁にし易いよう、開口縁２ａは側面視部分円周状にカーブを描いている。図３に示したトレー３は、所定規格の大きさの書類を平積みにして保管するためのものであり、底板３３の前端付近は、書類が手前側へ滑り落ちないようやや上方に、緩やかにカーブを描いている。図４に示したポケット４は、上部に開口縁４ａを有するとともに、収納物の出し入れがし易いよう開口縁４ａの手前側を低く設定している。そして、これらボックス２、トレー３及びポケット４は、底板２３、３３、４３の上面が波状面となっている点、及び開口縁２ａ、３ａ、４ａが外側へ湾曲することにより全体の強度を向上させている点において共通している。
【００２３】
上述したボックス２、トレー３及びポケット４は、本実施形態に係るオプション部材取付構造Ｐに基づいて、その背面２０、３０、４０に共通した処理を施すことにより、それぞれが図１に示すように机上に載置する態様のみならず、ハンギングパネルＨＰに取り付ける態様や、家具本体１の上端付近に設置する態様をとることが可能である。以下に、これらオプション部材２、３、４に共通する背面２０、３０、４０の構造について、図５に示す、ボックス２の背面２０上部の構造を例に挙げて説明する。
【００２４】
図５（Ａ）及び図５（Ｂ）は、ボックス２の背面２０を示す平面図及び側断面図である。このように、背面２０の上部には幅方向略全域に亘って下向きに突出する突条２１と、該突条２１の下には、所定距離を隔てて側面視３角形状に浅く凹んだ矩形状の凹陥２２が設けられている。凹陥２２は図５（Ｂ）に示すように、その両端が２等辺３角形状の側端面２２ａと、背面２０に対して傾斜した当接面２２ｂとを形成している。また、この凹陥２２はその部分のみ樹脂を薄く加工することにより形成されており、凹陥２２を設けた箇所の裏面、すなわち前方より見える箇所は、ボックス２の外観を保つよう、平坦面となっている。トレー３及びポケット４においては、この凹陥３２、４２は、幅方向両端付近にそれぞれ１箇所ずつ計２箇所に設けられている点でボックス２と異なるが、突条３１、４１は突条２１と同様に幅方向両端にまで延びているとともに、凹陥３２、４２までの上下間の距離や、突条３１、４１及び凹陥３２、４２の各寸法については、図示したボックス２と共通の仕様を採用している。
【００２５】
次に、図５に示した構造を利用して家具本体１に設置されたハンギングパネルＨＰに、ボックス２、トレー３やポケット４といったオプション部材を取り付ける態様について説明する。図６はその一例として、図１において示した、トレー３をハンギングパネルＨＰに取り付けた状態を側断面図によって示したものである。まず、ハンギングパネルＨＰは、上下方向に所定間隔に上向きの突条であるレール部ｒが設けられ、このように、トレー３の背面３０上部に設けられた下向きの突条３１をレール部ｒに上から掛けることにより、突条３１とレール部ｒを係合させるとともに、トレー３の背面３０はハンギングパネルＨＰの表面ｈｐに当接し底板３３がほぼ水平を保った状態でトレー３が設置される。この場合上下方向への位置決めは勿論上述した突条３１とレール部ｒとの係合により行われる。そして左右方向への位置決めは、ハンギングパネルＨＰと背面３０との摩擦により行われており、これによりハンギングパネルＨＰに固定された状態となっている。また、トレー３に書類等を収納することによりトレー３の重量が増すと、突条３１を軸としてトレー３が回動する方向に力が働き、ひいては背面３０が表面ｈｐを押圧する力が増すこととなる、そうすると前記摩擦がさらに増して水平方向への位置決めもより確実に行われる。そして、トレー３を横方向へ移動させる場合やトレー３をハンギングパネルＨＰより取り外す場合は。トレー３を上方向にを少し持ち上げて突条３１とレール部ｒとの係合を解除してやればよい。
【００２６】
さらに、図１に示した本実施形態に係るオプション部材取付構造Ｐでは、図７に示す取付具５を用いることによって家具本体１の上端部に取り付けることが可能である。
【００２７】
取付具５は、押し出しにより生産されたアルミの一体成形によってなるものであり、使用する際に前面を向く正面には第１係合子５１、第２係合子５２を有するとともに、背面には押圧部５３及び取付部５４を有している。
【００２８】
第１係合子５１は、その突条の形状が横方向及び上方向に突出した略Ｌ字型を成している。また、この第１係合子５１のやや上方には横方向に突出した突条である補助係合子５５を設けている。第２係合子５２は、第１係合子５１より所定距離隔てて下側に位置する側面視横向きＴ字状の突条であり、側端面５２ａと、前端部分に位置する前向きの面である当接面５２ｂとからなるものであり、当接面５２ｂはその中心部分が屋根形に膨出した形状となっている。
【００２９】
押圧部５３は、取付具５のうち、取付部５４より下に位置する平板部分である。
【００３０】
取付部５４は取付具５の上部をチャネル状に屈曲させることにより、家具本体１の上端に設けた上板Ｕの側溝Ｕ１に嵌り込み係合する部分である。
【００３１】
上述した取付具５を用いてポケット４を取り付けた際の要部断面図を図８に示す。このように、家具本体１の上端部分は、上板Ｕが２枚のパネル要素ｐの上側を覆うように設置されている。また上板Ｕはその下側所定位置に２本の突起ｔを設けており、この突起ｔが下に位置する２枚のパネル要素ｐの位置決めを行っている。
【００３２】
そして、図８（Ａ）のように取付具５の取付部５４を係合させた状態において、その屈曲した形状が上板Ｕの側溝Ｕ１内部にほぼがたつき無く係合している。また、その状態において取付具５にポケット４を取り付けるには、まず、上板Ｕに取付具５を取り付けた状態において、横方向から第１係合子５１と補助係合子５５との間に突条４１を挟み込むように位置を合わせた状態において、ポケット４をスライド移動させる。この状態において、背面４０と第２係合子５２が僅かに隙間をあけて当接しないようにしながら第２係合子５２の位置を凹陥４２の位置にまで合わせ、その位置で手を離すと、ポケット４は重力により第１係合子５１の位置を軸に回動するように揺動し、第２係合子５２の当接面５２ｂが凹陥４２の当接面４２ｂと当接する。その状態において、第２係合子５２と凹陥４２は凹凸係合することにより、水平方向にも確実に位置決めされる。
【００３３】
図８（Ｂ）は、第２係合部Ｂ付近を示すａ−ａ断面図である。前記凹凸係合により位置決めが成された状態において水平方向へずれる力が働いても、第２係合子５２の側端面５２ａと凹陥４２の側端面４２ａとが当接することにより、その移動を禁止される。また、第２係合子５２と凹陥４２との係合はポケット４の自重によっておこる凹陥４２と第２係合子５２とが互いに押圧する押圧力に比例して、より確実に当接するので、ポケット４の収納物の重量が増せば、さらに確実に水平方向の位置決めが成されることとなる。また、当接面５２ｂの形状は側面視２等辺３角形状をしている、そのため、この状態において、その押圧力は前記２等辺３角形の斜辺に直交する方向、すなわち、押圧方向を上下方向に分散させる方向に力が働くこととなるので、強い押圧力がポケット４の背面４０に対して働いてもその力は凹陥４２の箇所に集中することなく分散され、押圧力が局所的に働くことにより樹脂が破損されることはない。また、第２係合子５２は側面視Ｔ字状の形状をしているためその押圧力を取付具５が効率的に受け止めることができるとともに、受け止めた押圧力は取付具５の背面側にある平板状の押圧部５３がパネル要素ｐを押圧する事により家具本体１へ伝達される。
【００３４】
また、この状態において家具本体１からポケット４をはずす際は、ポケット４を若干持ち上げた状態でスライド移動することにより簡単に取り外すことが可能である。ここで、補助係合子５５が第１係合子５１と突条４１との係合に関して抜け止めの役割を果たしているので、ポケット４に収納物がない場合等はポケット４ごと動かして取付具５と側溝Ｕ１との係合を解除することも可能である。
【００３５】
ここで、本実施形態の変形例として、図９及び図１１のように、取付具５に対して、その取付部６４、７４の形状のみを変更した取付具６、７も挙げることができる。これらは基本的な構成については上述した取付具５と略同様であるが、他の家具の上端部分の形状にそれぞれ合わせて取付部６４、７４を設けたものである。これらは図１０及び図１２のように取付部６４、７４を家具の上から掛けるのみで係合させることが可能であるので、取り付ける際はまずオプション部材であるボックス２、トレー３或いはポケット４に取付具６又は７を取り付けてから家具の上端部分に被せるように取り付けると好都合である。その際、補助係合子６５、７５が、突条２１、３１或いは４１に対して落下止めの役割を果たすので、好適に取り付ける事が可能である。
【００３６】
以上のような構成とすることにより、本実施形態に係るオプション部材取付構造Ｐは、図８を例にとると、背面に家具本体１に取り付けるための取付部５４を有する取付具５を用いて家具本体１にポケット４を取り付けるオプション部材取付構造Ｐであって、オプション部材であるポケット４と取付具５が、水平方向にスライド可能に係合する第１係合部Ａと第１係合部Ａが許容する前後方向の揺動範囲で係合可能な第２係合部Ｂとを構成し、前記第１係合部Ａを係合させることにより上下方向の位置決めを行うとともに、ポケット４が重力によって第１係合部Ａを軸に揺動することにより、第２係合部Ｂを係合させることにより水平方向の位置決めを行うことを特徴としている。
【００３７】
そうすることにより、第２係合部Ｂを僅かな動作により係合可能なものとしているとともに、ポケット４の重力による揺動によって第２係合部Ｂが係合するため、第２係合部Ｂを設けるためのポケット４に対する加工を僅かなものとしてポケット４の外観を保つことができるとともに、第２係合部Ｂを容易に係合させることができるので、容易に家具本体１に取り付けることが可能となる。また、取付具５の取付部５４の形状を適宜変更した取付具６、７により、様々な家具にボックス２、トレー３やポケット４を取り付けることができるので、それらオプション部材に広い汎用性を付与することができる。そして、オプション部材の汎用性が高くなることで、その結果として、例えば樹脂の成型品にするといった、スケールメリットを生かした低コストな生産を実現して、樹脂製品生産に係る金型制作のリスクを有効に回避することができる。
【００３８】
詳細に説明すると、本実施形態に係るオプション部材取付構造Ｐによれば、第１係合部Ａがポケット４の背面４０上端に設けられた下向きの突条４１と、取付具５に設けられた水平方向及び上方向に突出した側面視Ｌ字状の突条である第１係合子５１とにより構成されるとともに、第２係合部Ｂが背面４０に設けられた凹陥４２と、取付具５に設けられた突条である第２係合子５２とにより構成されるものである（図８）。つまり、図６におけるトレー３も同様の構造を採用しているので、トレー３は、前記下向きの突条３１を利用して、例えばハンギングパネルＨＰに掛ける場合でも、背面３０に設けているのは凹陥３２であるので壁面たる表面ｈｐに干渉することはない。つまり、ハンギングパネルＨＰ専用として設定されたトレー３に設けられた下向きの突条３１を利用して第１係合部Ａとすれば、別途凹陥３２を設けるのみで本実施形態に係るオプション部材取付構造Ｐを構成して他の箇所にも設置することも可能となるので、本実施形態に係るオプション部材取付構造Ｐによれば、ハンギングオプションとして設定されているオプション部材に対して、広い汎用性を付与することができる。
【００３９】
そして、水平方向の位置決めをより確実にするために、本実施形態に係るオプション部材取付構造は、第２係合部Ｂにおいて、第２係合子５２及び凹陥４２の側端面５２ａ、４２ａが必要に応じて当接することにより、水平方向の位置決めを行うので、単純な形状であっても確実に水平方向の位置決めを行うものとしている。
【００４０】
本実施形態に係るオプション部材取付構造Ｐを構成するオプション部材が、ボックス２、トレー３やポケット４等の収納部材であるので、家具本体１に取り付けて家具本体１周辺の空間を好適に利用することができるとともに、重力を利用した第２係合部Ｂの係合をより確実なものとすることができる。そして、ボックス２、トレー３やポケット４等のオプション部材が樹脂からなるものであるので、軽量なものとすることができるとともに、上述したようなスケールメリットを生かした低コスト生産を可能なものとする。
【００４１】
また、本実施形態に係る取付具５は、家具本体１にオプション部材であるポケット４を取り付ける取付具５であって（図８）、背面上端部において、家具本体１に係合する取付部５４と、正面において水平方向及び上方向に突出した側面視Ｌ字状の突条である第１係合子５１と、前記第１係合子５１よりも下部に位置する突条である第２係合子５２とを有し、第１係合子５１をポケット４の突条４１に係合させることによりポケット４を上下方向に位置決めするとともに、収納物を含めたポケット４の重みによりポケット４が第１係合子５１を軸に揺動することにより前記第２係合子５２がポケット４に設けられた凹陥４２と凹凸係合することにより、オプション部材を水平方向に位置決めすることを特徴とする。
【００４２】
このようなものとすることにより、本実施形態の変形例に係る取付具６、７のように（図９、図１０、図１１、図１２）、取付部６４、７４の形状を他の家具の取付箇所の形状に合わせて適宜変更して他の家具にも取り付けることができるとともに、第１係合子６１、７１と第２係合子６１、６２によりポケット４を移動不能に固定することができるので、結果として様々な家具にボックス２、トレー３やポケット４等のオプション部材を取り付けることができるものとなる。つまり、取付具５、６、７に取り付けるオプション部材に広い汎用性を付与することができる。また、第２係合子５２は、重力によって第１係合子５１が揺動するのみで係合することができるので、ポケット４側に開口や切り込みのような顕著な加工を要さずとも容易に係合箇所としての凹陥４２を設けることが可能となる。その結果としてポケット４の外観を損なわずに家具に取り付けることができる（図８）。
【００４３】
さらに図８において、取付具５は家具本体１を押圧する平板状の押圧部５３を有するので、家具本体１に取り付けられた取付具５がポケット４を支持する際、ポケット４の重み等により家具本体１の壁面たるパネル要素ｐに当接しても、局所的な押圧によりパネル要素ｐを損傷する事を防ぐことができる。また、取付具５が第１係合子５１より上部に位置する突条である補助係合子５５を有するものであり、係合時にポケット４の突条４１を前記第１係合子５１とともに上下から挟み込むものであるので、第１係合部Ａの係合がより確実なものとなるとともに、例えば取付具５を、突条４１に第１係合子を係わり合わせてポケット４に取り付けた状態においても補助係合子５５がポケット４に上から当接して取付部５が落下することなく、図９〜１２に示した取付具６、７の場合などは、まず取付具６、７をポケット４に取り付けてから取付具６、７を他の家具に取り付けるという手順により、好適に取付作業を行うことができる。
【００４４】
取付具５は、押し出し成形によって作成していることから、側断面が全ての箇所において同一形状を有するものとなっているので、ポケット４に対し横方向からスライドさせて取り付けるのに好都合なものとなっているとともに、高い精度を保ちつつ、容易且つ低コストに生産することができる。また、材質にアルミを用いているので、軽量で強度を有し且つ加工も易く、好適に生産することを可能にしている。勿論、上述の通り側断面が全ての箇所において同一形状を有するものであるので、同様のものを例えば板材の折り曲げによっても作成することが可能である。
【００４５】
以上、本発明の実施形態について説明したが、各部の具体的な構成は、上述した実施形態のみに限定されるものではなく、本発明の趣旨を逸脱しない範囲で種々変形が可能である。
【００４６】
例えば、オプション部材については、上記実施形態に示したボックス、トレー及びポケットに限られず、上述した突条及び凹陥を採用することにより本実施形態に係るオプション部材取付構造を採用することが可能である。また、取付具においても、設置しようとする家具の態様に合わせて様々な形状に設定したものであってもよく、より多くの家具に適した取付部を有する取付具を用意すれば、上記実施形態に係るオプション部材の汎用性はさらに向上することとなる。
【００４７】
その他、各部の具体的構成についても上記実施形態に限られるものではなく、本発明の趣旨を逸脱しない範囲で種々変形が可能である。
【図面の簡単な説明】
【００４８】
【図１】本発明の１実施形態を示す斜視図。
【図２】同実施形態に係るボックスを示す斜視図。
【図３】同実施形態に係るトレーを示す斜視図。
【図４】同実施形態に係るポケットを示す斜視図。
【図５】同実施形態に係るボックスの背面を示す図。
【図６】同実施形態に係るトレーをハンギングパネルに取り付けた態様を示す側断面図。
【図７】同実施形態に係る取付具を示す斜視図。
【図８】同実施形態に係るオプション部材取付構造を示す側断面図。
【図９】本実施形態の変形例に係る取付具を示す斜視図。
【図１０】本実施形態の変形例に係る取付具の使用態様を示す側断面図。
【図１１】本実施形態の変形例に係る取付具を示す斜視図。
【図１２】本実施形態の変形例に係る取付具の使用態様を示す斜視図。
【符号の説明】
【００４９】
１  …家具本体
２  …オプション部材、収納部材（ボックス）
３  …オプション部材、収納部材（トレー）
４  …オプション部材、収納部材（ポケット）
２１、３１、４１…突条
２２、３２、４２…凹陥
４４ａ…側端面
５  …取付具
５１…第１係合子
５２…第２係合子
５２ａ側端面
５３…押圧部
５４…取付部
５５…補助係合子
Ａ  …第１係合部
Ｂ  …第２係合部
Ｐ  …オプション部材取付構造
【図１】
2005143751.tif 000003
【図２】
2005143751.tif 000004
【図３】
2005143751.tif 000005
【図４】
2005143751.tif 000006
【図５】
2005143751.tif 000007
【図６】
2005143751.tif 000008
【図７】
2005143751.tif 000009
【図８】
2005143751.tif 000010
【図９】
2005143751.tif 000011
【図１０】
2005143751.tif 000012
【図１１】
2005143751.tif 000013
【図１２】
2005143751.tif 000014